(57)【要約】      （修正有）【課題】観賞用金魚水槽内面に藻や苔類が発生し付着堆積を防止する観賞用金魚水槽の浄化装置を提供する。【解決手段】濾過槽の還流配管より水槽へ戻す前に通過する水槽水に微弱電流を通電用の浄化用電極としてステンレスビス２２を対峙して設け正極と、負極の電極とした。直流電圧２４を印加するに、直流電圧２４の正極とＬＥＤ２１の正極と、ＬＥＤ２１の一方の負極は、ＬＥＤ２１を保護する保護抵抗２３と接続して、該保護抵抗２３のもう一方の接続線はステンレスビス２２の正極と接続して設けた。直流電圧２４の負極はステンレスビス２２の負極と接続して設けた。該ステンレスビス２２の正極と負極で一対の浄化用電極からなる基本型の浄化装置２０であるので、水槽の水量に応じて浄化用電極の対の数を増して観賞用金魚水槽の浄化装置２０とする構成である。【選択図】図２
2011083267.tif 000002
【特許請求の範囲】
【請求項１】
本発明は、観賞用金魚水槽（９０）の水槽水（５１）の藻や苔の発生を抑えるに濾過槽（１０）で水槽水（５１）に微弱電流を通電させて藻や苔類の発生を制御しようとする観賞用金魚水槽（９０）の浄化装置（２０）であって、該浄化装置（２０）は、濾過槽（１０）の還流配管（１３）より水槽（５０）へ戻す前に通過する水槽水（５１）に微弱電流を通電するように一対の浄化用電極を対峙して平面基板に設けて、該対峙した一対の浄化用電極に直流電圧（２４）を印加するに、一定の間隔を置いてステンレスビス（２２）を正極と、負極に対峙させて設けて、該対峙した正極と、負極の電極に、直流電圧（２４）を印加するに、直流電圧（２４）の正極とＬＥＤ（２１）の正極とを接続して設けて、ＬＥＤ（２１）の一方の負極は、ＬＥＤ（２１）を保護する保護抵抗（２３）と接続して設けて、該保護抵抗（２３）のもう一方の接続線はステンレスビス（２２）の正極と接続して設けて、直流電圧（２４）の負極はステンレスビス（２２）の負極と接続して設けて、該ステンレスビス（２２）の正極と負極で一対とした浄化用電極と、１個のＬＥＤ（２１）は平面基板に設けた長方形基板（２５）に設置された構成の浄化装置（２０）として、該浄化装置（２０）は基本型であるので水槽の水量に応じて浄化用電極の対の数を増して浄化装置（２０）とする構成であることを特徴とする観賞用金魚水槽の浄化装置。
【請求項２】
上記記載の観賞用金魚水槽（９０）の浄化装置（２０）であって、該浄化装置（２０）は、濾過槽（１０）の還流配管（１３）より水槽（５０）へ戻す前に通過する水槽水（５１）に微弱電流を通電するように六対の浄化用電極を対峙して平面基板に設けて、該対峙した六対の電極は、一定の間隔を置いて６本のステンレスビス（２２）を正極と、６本のステンレスビス（２２）を負極に計１２本を対峙させて設けて、該対峙した六対の正極と、負極の電極に、直流電圧（２４）を印加するに、直流電圧（２４）の正極と６個のＬＥＤ（２１）の正極を接続して設けて、一方のＬＥＤ（２１）の負極は、ＬＥＤ（２１）を保護する６個の保護抵抗（２３）と個別に接続して、該６個の保護抵抗（２３）のもう一方の接続線は重複しないで６本設けたステンレスビス（２２）の正極と接続して設けて、直流電圧（２４）の負極は６本設けたステンレスビス（２２）の負極と重複しないで接続して設けて、６個のＬＥＤ（２１）は平面基板に設けた長方形基板（２５）に設置される構成であることを特徴とする請求項１記載の観賞用金魚水槽の浄化装置。
【発明の詳細な説明】
【技術分野】
【０００１】  水槽で観賞金魚を飼育、育成する場合に、水槽内に藻や苔類が発生し、それが次第に透明な水槽内面に付着、堆積して観賞金魚を見え難くしている。水槽の濾過槽に微弱電流を通電させることで観賞用金魚水槽の苔藻の発生を制御する観賞用金魚水槽の浄化装置に関する。
【背景技術】
【０００２】  従来から水槽で観賞用金魚を飼育、育成する場合に、かんたんな金魚の飼い方〜現代人のための金魚飼育マニアルの教科書が非特許文献１として知られている。当該非特許文献１によると金魚の飼い方、金魚コラム、飼育、コケの話として示され、飼育のあれこれの目次の１３番目にコケの話がある。それによるとコケの発生をまったくゼロにすることは不可能であるので、２〜３週間に一度ぐらい、水槽をちょいちょいと擦り取る程度のコケ取り作業は行なってくださいとなっている。但し、一般人が簡単にコケ取り作業に手を出すのは面倒である。観賞用金魚水槽に浄化装置を設けることで、水槽の藻や藻類の清掃をしないでよい観賞用金魚水槽の浄化装置が望まれている。【０００３】  メンテナンスフリーかつ省エネルギーで魚飼育用水槽等の藻類の繁殖を制御する方法および装置の特許文献１がある。当該特許文献１によると魚飼育用の水槽の水流の通過する内部あるいは、外部に電気分解装置を設け、陽極と陰極の電極を対峙した箇所に水流を通過させて藻類の発生、繁殖をメンテナンスフリーかつ省エネルギーで制御して、殺藻することができる水槽の浄化装置及びそれを用いる浄化方法に関するものである。電気分解装置の電極は、貴金属類を用いることで高価となること、仕掛けが複雑な装置であること、家庭で使用している市販の観賞用金魚水槽に当該装置の藻殺部分だけを使用することは出来ない。【０００４】  水の電気分解を応用して、観賞用魚飼育水槽、養魚場、池あるいは湖沼等の水に、酸素を供給するとともに滅菌、脱臭を行い、併せて水質を生物、特に魚類の生育できる環境に維持することができる水浄化装置の特許文献２がある。当該特許文献２によると、電気分解用複合電極で構成した電解室、該電解室に設けた吸水管、該吸水管に接続した吸水ポンプ、及び該吸水ポンプで吸水した水を空中に放出する放出管を備えた循環式の水浄化装置の提供である。電気分解用複合電極に用いる貴金属類は、チタン等の金属板に白金等をメッキしたものも用いられ高価となること、仕掛も複雑で装置が大きくなること等で、家庭で使用している観賞用魚飼育水槽に藻除去部分を使用することは出来ない。
【先行技術文献】
【特許文献】
【０００５】
【特許文献１】特開２００３−３２６２６０
【特許文献２】特開平１０−１６５９５５
【非特許文献】
【０００６】
【非特許文献１】「かんたんな金魚の飼い方〜現代人のための金魚飼育マニアル」は、ｈｔｔｐ／／ｍｅｍｂｅｒｓ．ｊｃｏｍ．ｏｍｅ．ｎｅ．ｊｐ／ｍ３８１ｔ／２８ｒｉｇｈｔ．ｈｔｍｌの「・フィシュレスで水作り」を開くと目次となる。目次の１３番目に「コケの話」がある。
【発明の概要】
【発明が解決しようとする課題】
【０００７】  市販されている観賞用金魚水槽の多くは、金魚を飼育、育成する水槽水の入った水槽にポンプ部が設けられ、該ポンプ部の作用により濾過槽へ水槽水を還流させ、該還流させた水槽水をフィルターで濾過した水槽水を水槽へ戻している。水槽の照明は、照明部で行う構成である。
水槽で金魚を飼育、育成すると、水槽に藻や苔類が発生し、それが次第に水槽に設置している木の根、石等や透明な水槽ガラス又は水槽アクリル内面に付着、堆積して金魚を見え難くする。対策として、２〜３週間に一度ぐらい、水槽を磨き藻や苔類を除去せざるを得ない。同時に金魚の生存する水質を保全するために水槽の約１／４の水槽水は藻や苔類の清掃に係わらず交換する。該水槽の水槽水を濾過するに、金魚を飼育、育成している水槽の水槽水をポンプ装置で吸込口より吸込んで、吐出口より濾過槽のフィルターへ吐出して、フィルターを経て還流配管より水槽へ戻されている。このような対策にも係わらず濾過槽の桟に茶色の水垢や藻が付着する。フィルターは藻や苔類、金魚の糞、餌等で大変に汚れ、該フィルターは、洗っても汚れは落ちないので新品のフィルターと都度交換している。他の方法としては、苔を取るために、苔取り用の薬品を使用すると水質バランスを大きく崩して金魚に絶えずストレスを与え失敗して金魚を殺すことになる。このように金魚育成のために、水槽に設置している木の根、石等や透明な水槽ガラス又は水槽アクリル内面に付着、堆積している藻や苔類を除去する作業は出来るだけ行なうことが必要であったが、できれば避けたい。
水質を浄化する装置として、特許文献１で提案されている当該装置の藻殺部分だけを家庭で使用している市販の観賞用金魚水槽に入れることは出来ない。また、沼などで大量の魚を育成する電気分解を応用して、藻や苔を制御する装置は特許文献２で提案されている。
特許文献１・２共に電気分解を向上するために電気分解の電極に白金等の貴金属が使用されるので高価となること、沼などで大量の魚を育成する装置の目的から仕掛けも複雑で装置も大きく観賞用金魚水槽には適さない。
市販されている観賞用金魚水槽は、小・中・大型とある。当該大型の水槽の横幅は９０ｃｍ前後である。観賞用金魚水槽に使用できる安価で小型の浄化装置が望まれる。水槽で金魚を飼育、育成するに、苔や藻の清掃をしないでよい観賞用金魚水槽の浄化装置を提供することを目的とする。【０００８】  本発明の前記ならびにそのほかの目的と新規な特徴は、次の説明を添付図面と照らし合わせて読むならば、より完全であり、明瞭になるであろう、図面は専ら解説のためのものであって、本発明の技術的範囲を限定するものではない。
【課題を解決するための手段】
【０００９】  本発明は、観賞用金魚水槽９０の水槽水５１の藻や苔の発生を抑えるに濾過槽１０で水槽水５１に微弱電流を通電させて藻や苔類の発生を制御しようとする観賞用金魚水槽９０の浄化装置２０であって、該浄化装置２０は、還流配管１３より水槽５０へ戻す前に通過する水槽水５１に微弱電流を通電するように一対の浄化用電極を対峙して平面基板に設ける。該対峙した一対の浄化用電極に直流電圧２４を印加するに、一定の間隔を置いてステンレスビス２２を正極と、負極に対峙させて設ける。該対峙した正極と、負極の電極に、直流電圧２４を印加するに、直流電圧２４の正極と発光ダイオード（以下  ＬＥＤと称する）２１の正極とを接続して設ける。ＬＥＤ２１の一方の負極は、ＬＥＤ２１を保護する保護用抵抗２３と接続して設けて、該保護用抵抗２３のもう一方の接続線はステンレスビス２２の正極と接続して設けて、直流電圧２４の負極はステンレスビス２２の負極と接続して設ける。該ステンレスビス２２の正極と負極で一対とした浄化用電極と、１個のＬＥＤ２１は平面基板に設けた長方形基板２５に設置された構成の浄化装置２０とした。該浄化装置２０は基本型であるので水槽の水量に応じて浄化用電極の対の数を増して浄化装置２０とする構成の観賞用金魚水槽の浄化装置である。【００１０】  また、請求項２記載の発明では、請求項１記載の観賞用金魚水槽９０の浄化装置２０であって、該浄化装置２０は、濾過槽１０の還流配管１３より水槽５０へ戻す前に通過する水槽水５１に微弱電流を通電するように六対の浄化用電極を対峙して平面基板に設ける。
該対峙した六対の電極は、一定の間隔を置いて６本のステンレスビス２２を正極と、６本のステンレスビス２２を負極に計１２本を対峙させて設ける。該対峙した六対の正極と、負極の電極に、直流電圧２４を印加するに、直流電圧２４の正極と６個のＬＥＤ２１の正極と接続して設ける。一方のＬＥＤ２１の負極は、ＬＥＤ２１を保護する６個の保護抵抗２３と個別に接続して、該６個の保護抵抗２３のもう一方の接続線は重複しないで本設けたステンレスビス２２の正極と接続して設ける。直流電圧２４の負極は６本設けたステンレスビス２２の負極と重複しないで接続して設けて、６個のＬＥＤ２１は平面基板に設けた長方形基板２５に設置される構成の観賞用金魚水槽の浄化装置である。
【発明の効果】
【００１１】  以下の説明から明らかになるように、本発明にあっては次に列挙する通りである。【００１２】  請求項１記載の発明は、観賞用金魚水槽の水槽水の藻や苔の発生を抑えるに濾過槽で水槽水に微弱電流を通電させて藻や苔類の発生を制御しようとする観賞用金魚水槽の浄化装置であって、該浄化装置は、濾過槽の還流配管より水槽へ戻す前に通過する水槽水に微弱電流を通電するように一対の浄化用電極を対峙して平面基板に設ける。該対峙した一対の浄化用電極に直流電圧を印加するに、一定の間隔を置いてステンレスビスを正極と、負極に対峙させて設ける。該対峙した正極と、負極の電極に、直流電圧を印加するに、直流電圧の正極とＬＥＤの正極とを接続して設ける。ＬＥＤの一方の負極は、ＬＥＤを保護する保護抵抗と接続して設けて、該保護抵抗のもう一方の接続線はステンレスビスの正極と接続して設けて、直流電圧の負極はステンレスビスの負極と接続して設ける。該ステンレスビスの正極と負極で一対とした浄化用電極と、１個のＬＥＤは平面基板に設けた長方形基板に設置された構成の浄化装置とした。該浄化装置は基本型であるので水槽の水量に応じて浄化用電極の対の数を増して浄化装置とする構成の観賞用金魚水槽の浄化装置であるので、市販されている水槽の小型の横幅は、約４５ｃｍ、中型の横幅は約６０ｃｍ、大型の横幅は、約９０ｃｍである。濾過槽の水槽水を浄化するには小型では、四対以上の浄化用電極、中型では、六対以上の浄化電極、大型では、九対以上の浄化用電極として構成した浄化装置とすれば観賞用金魚水槽の水槽水の藻や苔の発生を抑える効果は抜群となる。水槽の水槽水に対応して浄化用電極を増せばよい浄化装置である。浄化装置を使用していると直流電圧を供給している電源用電池は消耗していなくてもＬＥＤの発光が弱くなり発光しなくなる。それは浄化装置のステンレスビスとの電極間で微弱電流が通電できなくなった知らせであるので浄化用電極を濾過槽から引き上げステンレスビス電極を磨くと、幾度でも回復し使用できる。水槽で金魚を飼育、育成する場合に、藻や苔の清掃を出来るだけ、しないで済む観賞金魚水槽用の浄化装置として一対の浄化用電極の基本型を示す。平面基板と、長方形基板は絶縁物でアクリルが使用されている。電源用電池の正極に接続した電極では化学物質から電子が奪われて酸化が起こる。また、反対に負極に接続した電極では化学物質に電子が与えられて還元が起こる。正電極にアルミニュウムを使用したときはアルミニュウムが溶出した。溶出を防止するにステンレス金属は白金電極と同様に利用できるから電極に影響が少ないステンレスビスを選んで使用することにした。ＬＥＤを保護する保護抵抗の代わりに定電流ダイオード（以下  ＣＲＤと称する）を使用してもよい。直流電圧を印加する電源としてＡＣ／ＤＣコンバータを使用してもよい。電源用回路にスイッチと可変抵抗器を設けてもよい。【００１３】  また、請求項２記載の発明では、請求項１記載の観賞用金魚水槽の浄化装置であって、該浄化装置は、濾過槽の還流配管より水槽へ戻す前に通過する水槽水に微弱電流を通電するように六対の浄化用電極を対峙して平面基板に設ける。
該対峙した六対の電極は、一定の間隔を置いて６本のステンレスビスを正極と、６本のステンレスビスを負極に計１２本を対峙させて設ける。該対峙した六対の正極と、負極の電極に、直流電圧を印加するに、直流電圧の正極と６個のＬＥＤの正極と接続して設ける。
一方のＬＥＤの負極は、ＬＥＤを保護する６個の保護抵抗と個別に接続して、該６個の保護抵抗のもう一方の接続線は重複しないよう６本設けたステンレスビスの正極と接続して設ける。直流電圧の負極は６本設けたステンレスビスの負極と接続して設けて、６個のＬＥＤは平面基板に設けた長方形基板に設置される構成の観賞用金魚水槽の浄化装置であるので、観賞用の金魚水槽のサイズ中型は、幅は、約６０ｃｍ・奥行きは、約３０ｃｍ前後・高さは、４０ｃｍであるので浄化用電極を六対設けることでよい結果が得られた。濾過槽で還流配管より水槽へ戻す前に通過する水槽水に六対の浄化用電極を入れ作動させると、浄化装置に設けたＬＥＤは設定した微弱電流が通電するので点灯する。ＬＥＤが点灯しないことは微弱電流が通電されていないことを示す。ＬＥＤが点灯することは浄化装置が作動していることを示すので、ＬＥＤが点灯することは浄化装置の作動監視に役立つ。浄化装置を作動させると藻や苔類が発生しなくなった。従来は水槽をヘラのようなもので落とさなければ取れなかった藻や苔類は次第になくなった。たまに付いた藻や苔はブラシで軽くこすると取れるようになった。フィルターの汚れは、藻や苔類は無くなり金魚の糞や餌のみとなったのでフィルターの汚れは水洗で簡単に取れる。フィルターは、何度も使用することが可能となった。
フィルターを載せている桟は茶色の水垢や藻が付着したがこれも防止できた。観賞用金魚水槽の水槽水の藻や苔の発生を抑えるに効果は抜群である。浄化装置を使用していると直流電圧を供給している電源の電池は消耗していなくてもＬＥＤの点灯の光が弱くまた、点灯しなくなる。それは浄化用電極のステンレスビス電極間で微弱電流の通電が出来なくなった知らせであるので浄化装置を濾過槽から引き上げステンレスビス電極を磨くと幾度でも回復し使用できる。水槽で金魚を飼育、育成する場合に、藻や苔の清掃を、しないでよい観賞金魚水槽用の浄化装置を提供することができる。
電源用電池の正極に接続した電極では化学物質から電子が奪われて酸化が起こる。また、反対に負極に接続した電極では化学物質に電子が与えられて還元が起こる。正電極にアルミニュウムを使用したときはアルミニュウムが溶出した。溶出を防止するにステンレス金属は白金電極と同様に利用できるから電極に影響が少ないステンレスビスを選んで使用することにした。
ＬＥＤを保護する保護抵抗の代わりにＣＲＤを使用してもよい。ＬＥＤを保護する保護抵抗或いはＣＲＤの使用方法はＬＥＤの製造側が推奨する回路に従って決めればよい。直流電圧を印加する電源としてＡＣ／ＤＣコンバータを使用してもよい。電源用回路にスイッチと可変抵抗器を設けてもよい。
【図面の簡単な説明】
【００１４】
【図１】  本発明の観賞金魚水槽用の浄化装置の基本型となる一対の浄化用電極の電気回路を示した図である。
【図２】  図１を応用した回路で、六対の浄化用電極からなる浄化装置の電気回路を示した図である。
【図３】  図２の六対の浄化用電極からなる浄化装置の斜視図を示した図である。
【図４】  図３の側面を示した図である。
【図５】  観賞金魚水槽の斜視図を示した図である。
【図６】  図５のＡ−Ａ線の沿う断面を示した図である。
【図７】  図５のＢ−Ｂ線の沿う断面を示した図である。
【発明を実施するための形態】
【００１５】  以下、本発明の実施するための形態を図１〜図７に基づいて説明する。
【実施例】
【００１６】  図１は、本発明の観賞用金魚水槽の浄化装置の基本型となる一対の浄化用電極の電気回路を示した図である。
本発明の観賞用金魚水槽９０の浄化装置２０の基本型となる一対の浄化用電極は、還流配管１３より水槽５０へ戻す前に通過する水槽水５１に微弱電流を通電するように設けた一対の浄化用電極である。該一対の浄化用電極は、一定の間隔を置いて電極としたステンレスビス２２を正極と負極に対峙させて絶縁物である平面基板に設ける。該対峙させて一対とした浄化用電極に微弱電流を通電するに直流電圧２４を設ける。該直流電圧を印加するには、直流電圧２４の正極とＬＥＤ２１の正極とを接続して設ける。ＬＥＤ２１の一方の負極は、ＬＥＤ２１を保護する保護抵抗２３と接続して設ける。該保護抵抗２３のもう一方の接続線はステンレスビス２２の正極と接続して設ける。直流電圧２４の負極はステンレスビス２２の負極と接続して一対の浄化用電極として設ける。ＬＥＤ２１は絶縁物である平面基板に設けた長方形基板２５に設置される。濾過槽１０で還流配管より水槽へ戻す前の水槽水が通過する水流の中に一対の浄化用電極を入れ作動させると設置したＬＥＤ２１は微弱電流の通電により点灯する。ＬＥＤ２１が点灯しないと微弱電流が通電されていないことを示すので浄化装置の作動監視に役立つ。ＬＥＤ２１が点灯しないのは浄化装置２０の作動が正常でないことを示す。該浄化装置２０は基本型であるので、観賞用金魚水槽９０の大きさ、水槽水の量に対応して浄化用電極の対の数を増やした構成とする観賞用金魚水槽９０の浄化装置２０である。
例、直流電圧２４は、単一の電池４個を直列に６Ｖとした。ＬＥＤ２１の定格電流２５ｍＡ、保護抵抗値はＬＥＤ２１の定格電流から計算で求めればよい。又、保護抵抗２３の代わりにＣＲＤを使用してもよい。ＬＥＤ２１の保護に使用する保護抵抗２３或いはＣＲＤの使用方法はＬＥＤ２１の製造側の推奨する回路に従えばよい。
浄化用電極の材質はステンレスビス２２の外形４Φ×６０ｍｍである。供給する直流電圧２４の正極に接続した電極は化学物質から電子が奪われて酸化が起こる。また、反対に負極に接続した電極では化学物質に電子が与えられて還元が起こるので、正極にアルミニュウムを使用したときは溶出した。溶出を防止するに該ステンレス金属は白金電極と同様に利用できるので、電気分解に強い電極としてステンレスビス２２を採用し使用した。
電源用電池の消耗がなくてもＬＥＤ２１の点灯する光が弱くまた、点灯しなくなるとステンレスビス２２の電極間での微弱電流が通電出来なくなった知らせであるので浄化装置２０を濾過槽から引き上げステンレスビス２２の両方の正極と負極を磨いてやれば幾度でも回復し使用できる。電源が電池の場合は電池切れのチエックを行うこと。また、電源はＡＣ／ＤＣコンバータを使用しても良い。【００１７】  図２は、図１を応用した回路で、六対の浄化用電極からなる浄化装置の電気回路を示した図である。
本発明の基本となる一対の浄化用電極を応用して六対の浄化用電極からなる浄化装置の電気回路である。
市販されている観賞用金魚水槽９０の中型水槽に入れ使用する浄化装置２０であって、該浄化装置２０は、濾過槽１０に六対の浄化用電極の浄化装置２０を設けて水槽水５１を浄化する。濾過槽１０の還流配管１３より水槽５０へ戻す前に通過する水槽水５１に微弱電流を通電するようにステンレスビス２２を対峙させて六対の浄化用電極を設ける。浄化用電極の正極にアルミニュウムを使用したときは当然であるが溶出現象が生じた。溶出を防止するにステンレス材料を採用することにした。
六対の浄化用電極は、一定の間隔を置いた６本のステンレスビス２２を正極として、一定の間隔を置いて負極とした６本のステンレスビス２２を対峙した形で絶縁物である平面基板に設ける。平面基板に対峙した形のステンレスビス２２は合計１２本を使用する。
ステンレスビス２２でなくても電極の材質がステンレスであればよい。浄化装置２０を作動させるため浄化用電極の六対に直流電圧２４を印加するに、該直流電圧２４は、直流電圧２４の正極と、６個のＬＥＤ２１の正極を接続して設ける。一方の該ＬＥＤ２１の負極は、ＬＥＤ２１を保護する６個の保護抵抗２３と個別に接続して、該６個の保護抵抗２３のもう一方の接続線は、６本のステンレスビス２２に重複しないでステンレスビス２２の正極と接続して設ける。直流電圧２４の負極は６本のステンレスビス２２の負極に重複しないで接続して設ける。
濾過槽１０で還流配管より水槽へ戻す前に通過する水槽水に六対の浄化用電極を入れ作動させると、浄化装置２０のＬＥＤ２１は微弱電流の通電により点灯する。ＬＥＤ２１が点灯しないのは回路に微弱電流が通電されていないことを示す。ＬＥＤ２１の点灯は浄化装置の作動監視に役立つ。ＬＥＤ２１が点灯しないのは浄化装置２０の作動が正常でないことを示す。ＬＥＤ２１は絶縁物である平面基板に固着して設けた絶縁物である長方形基板に設置する構成からなる観賞金魚水槽用の浄化装置である。
市販されている観賞用の金魚水槽のサイズ小・中・大型に比例して濾過槽１０の大きさも異なるので六対の浄化用電極からなる浄化装置２０は中型の水槽に使用すると丁度よい。市販の水槽で、中型の外形寸法は、横幅は約６０ｃｍ、奥行きは約３０ｃｍ、高さは約４０ｃｍある。小型の横幅は、約４５ｃｍ、大型の横幅は、約９０ｃｍである。小型と、大型の奥行きと、高さは中型の比率に準ずる。濾過槽１０の水槽水を浄化するには水槽の外形が小型では、４対以上の浄化用電極、大型では、９対以上の浄化用電極で構成する観賞金魚水槽用の浄化装置がよい。【００１８】  図３は、図２の六対の浄化用電極からなる浄化装置の斜視図を示した図である。
本発明の六対の浄化用電極からなる浄化装置２０は、該浄化装置２０の基板として絶縁物を採用している。絶縁物である平面基板に六対の浄化用電極を設けた。該平面基板に一定の間隔を置いて６本のステンレスビス２２を正極として、一定の間隔を置いて負極として６本のステンレスビス２２を対峙させて設ける。ステンレスビス２２は合計１２本使用している。ステンレスビス２２でなくても電極の材質がステンレスであればよい。２６は、ステンレスビス用ナットである。ステンレスビス２２はステンレスビス用ナット２６で平面基板２５に固定してある。絶縁物である長方形基板２５に６個のＬＥＤ２１を設置した。
六対の浄化用電極に直流電圧２４を印加するに、６個のＬＥＤ２１の正極は直流電圧２４の正極と接続させる。ＬＥＤ２１の一方の負極は、ＬＥＤ２１を保護する６個の保護抵抗２３と個別に接続して、該６個の保護用抵抗２３のもう一方の接続線は重複しないで６本のステンレスビス２２の正極と接続して設ける。直流電圧２４の負極は６本のステンレスビス２２の負極と重複しないで接続して設ける。平面基板に設けた六対の浄化用電極と、ＬＥＤ２１は絶縁物である平面基板に固着して設けた絶縁物である長方形基板に設置する構成からなる観賞金魚水槽用の浄化装置である。直流電圧２４と接続線の図は省略している。
具体例として、浄化用電極としてステンレスビス２２を対峙して設ける。基板にした絶縁物はアクリルである。平面基板の寸法は、横の長さ約１５０ｍｍ×側面は約５０ｍｍ×厚さは約５ｍｍである。ＬＥＤ２１を設置するアクリルの長方形基板２５の寸法は、平面基板上の中央部に横の長さ約１５０ｍｍ×側面は四角形で一辺の長さ約１５ｍｍの長方形基板２５を固着して設けてある。長方形基板２５は、ＬＥＤ２１を設置して内部にはＬＥＤ２１を保護する保護抵抗２３が入る。平面基板の厚さ約５ｍｍ＋長方形基板２５の１辺の長さ約１５ｍｍであるので高さの合計は約２０ｍｍとなる。
浄化用電極の同極側のステンレスビス２２と、ステンレスビス２２の距離は２０ｍｍとして、対峙する正極のステンレスビス２２と、負極のステンレスビス２２との距離は３０ｍｍとして設けた。
該浄化装置２０を濾過槽１０に入れて作動させるに、還流配管１３より水槽５０へ戻す前の通過する深さ１５ｍｍ前後の水槽水５１であって、対峙させた六対の浄化用電極に微弱電流を通電させると６個のＬＥＤ２１が点灯する。ＬＥＤ２１が点灯しているのは浄化装置２０が正常に作動していることを示す。浄化装置２０の作動監視に利用する。【００１９】  図４は、図３の側面を示した図である。
図３の六対の浄化用電極からなる浄化装置２０の側面からの該浄化装置２０は、絶縁物である平面基板の厚さ約５ｍｍに、対となる浄化用電極が左右に設けてある。該対となる浄化用電極として、ステンレスビス用ナット２３でステンレスビス２２は固定されている。絶縁物である長方形基板２５にＬＥＤ２１は設置されている。
具体例として、絶縁物の各基板はアクリルが使用されている。平面基板の側面の長さは約５０ｍｍである。平面基板の側面に対峙した対となる電極は、正極のステンレスビス２２と、負極のステンレスビス２２であり距離は３０ｍｍである。各ステンレスビス２２の長さは６０ｍｍである。ＬＥＤ２１は、平面基板の厚さ約５ｍｍ＋長方形基板２５の１辺の長さ約１５ｍｍで合計約２０ｍｍの場所にＬＥＤ２１は設置されている。直流電圧２４と、ＬＥＤ２１を保護する保護抵抗２３や接続線の図は省略している。【００２０】    図５は、観賞用金魚水槽の斜視図を示した図である。
観賞用金魚水槽９０の全体を示した斜視図である。
本発明の浄化装置２０は濾過槽１０の内部に設けるので該図に記載されていない。
観賞用金魚水槽９０の全体を示す斜視図は、金魚を飼育、育成する水槽水５１と、水槽水５１を湛える水槽５０と、該水槽水５１を還流させるポンプ部３０と、ポンプ部３０から還流した水槽水５１を濾過する濾過槽１０と、水槽内を照明する照明部４０とで構成されている。水槽内にポンプ部３０の水槽水５１を還流するために吸い上げる吸込口３２がある。照明部４０は、水槽５０の水槽水５１を１／４程度の水量、月に２〜３回入れ替えするときと、照明部４０の蛍光灯４１を交換するときに水槽５０から取外す。【００２１】  図６は、図５のＡ−Ａ線の沿う断面を示した図である。
図５のＡ−Ａ線の沿う断面は、観賞金魚用水槽９０のポンプ部３０と、濾過槽１０と、水槽５０を垂直にした断面を示している。本発明の観賞金魚用水槽９０の浄化装置２０は濾過槽１０のフィルター１１の隣に設けてある。
観賞用金魚水槽９０の水槽５０に湛えられた水槽水５１は、ポンプ部３０に設けられたポンプ用モータ３１によって、吸込口３２から水槽水５１を吸込んで、吐出口３３より水槽水５１を、濾過槽１０に設けられたフィルター１１へ、藻や苔類や金魚の餌や、金魚の糞を吐出する。
濾過槽１０の桟１２に載せてあるフィルター１１は、藻や苔類や金魚の餌や、金魚の糞を濾過した水槽水５１を設けた浄化装置２０に流す。浄化装置２０は、フィルター１１で濾過して通過する水槽水５１に微弱電流を通電する。通電した水槽水５１は還流配管１３より水槽５０へ還流する。２１はＬＥＤと、２２はステンレスビスからなる電極を示す。
水槽水の１／４程度の水量を月に２〜３回入れ替えすることは変わらないが、浄化装置２０の浄化用電極に微弱電流を通電させていると藻や苔類の発生にダメージを与えるので吐出口３３より吐出される水槽水５１は、藻や苔類を含まなくなる。
フィルター１１に藻や苔類は無くなり、金魚の餌や、金魚の糞のみとなるのでフィルター１１の洗浄は簡単で、洗浄することで幾度もフィルター１１を使用できる。フィルター１１を置いている桟１２にも茶色の水垢や藻が付着しなくなる。水槽の金魚は生き生きしてくる。【００２２】  図７は、図５のＢ−Ｂ線の沿う断面を示した図である。
図５のＢ−Ｂ線の沿う断面は、観賞金魚用水槽９０のポンプ部３０と、濾過槽１０と、水槽５０と、水槽水５１と、照明部４０を水平にした断面を示している。本発明の浄化装置２０は濾過槽１０のフィルター１１と並列して設けてある。
観賞金魚用水槽９０のポンプ部３０は、ポンプ用モータ３１を設けてある。該ポンプ用モータ３１の回転で吸込んだ水槽水５１を吐出口３３から濾過槽１０に設けてあるフィルター１１へ吐出される。吐出された藻や苔類や、金魚の餌や、金魚の糞等を含んだ水槽水５１は、桟１２に載せてありフィルター１１で濾過された水槽水５１は設けた浄化装置２０を通過する。該浄化装置２０は、通過する水槽水５１に微弱電流を通電して還流配管１３より水槽５０へ流す。２１はＬＥＤで、２２はステンレスビスからなる電極を示す。
水槽５１を照明する照明部４０と、蛍光灯４１が設けてある。
【産業上の利用可能性】
【００２３】  本発明の観賞用金魚水槽の浄化装置は、観賞用金魚水槽製造関連の業界で製造され、販売される。
【符号の説明】
【００２４】１０  濾過槽
１１  フィルター
１２  桟
１３  還流配管
２０  浄化装置
２１  発光ダイオード（ＬＥＤ）
２２  ステンレスビス
２３  保護抵抗
２４  直流電圧
２５  長方形基板
２６  ステンレスビス用ナット
３０  ポンプ部
３１  ポンプ用モータ
３２  吸込口
３３  吐出口
４０  照明部
４１  蛍光灯
５０  水槽
５１  水槽水
９０  観賞用金魚水槽
【図１】
2011083267.tif 000003
【図２】
2011083267.tif 000004
【図３】
2011083267.tif 000005
【図４】
2011083267.tif 000006
【図５】
2011083267.tif 000007
【図６】
2011083267.tif 000008
【図７】
2011083267.tif 000009